(57)【要約】【課題】遠赤外線と振動の相乗作用でペニスを活性化する男性用パンツを提供すること。【解決手段】パンツ本体の股間部正面側の内側に、磁鉄鉱入り遠赤外線放射物質含有のスポンジ布を内設した通気性の布材を縫着封止する。布材によって形成された内部空間に、コードとその先端の振動体を布材に形成した開口部より装入し且つ振動体を、スポンジ布側中央に設けた取付部で支承する。【選択図】          図１
2004316046.tif 000002
【特許請求の範囲】
【請求項１】
パンツ本体の股間部正面側の内側に、磁鉄鉱入り遠赤外線放射物質含有のスポンジ布を内設した通気性の布材を縫着封止し、布材によって形成された内部空間に、本体外側でスイッチ操作する電源に接続したコード及びその先端の振動体を布材に形成した開口部より装入するとともに、振動体を、スポンジ布側中央に設けた取付部で支承することを特徴とする男性用パンツ。
【請求項２】
パンツ本体の股間部正面側に、大腿付け根当接個所に沿い略Ｖ字形に屈曲した合成樹脂製の支持枠を縫着し、本体の内側に、磁鉄鉱入り遠赤外線放射物質含有のスポンジ布を内設した通気性の布材を支持枠上部に配置して縫着封止し、布材によって形成された内部空間に、本体外側でスイッチ操作する電源に接続したコード及びその先端の振動体を布材に形成した開口部より装入するとともに、振動体を、スポンジ布側中央に設けた取付部で支承することを特徴とする男性用パンツ。
【請求項３】
取付部を、上下の複数個所に設けてなる請求項１又は２に記載の男性用パンツ。
【請求項４】
温度調節可能な線面発熱体を布材とスポンジ布の間に介装し、線面発熱体に接続した電気コードが布材の開口部を通って本体外側でスイッチ操作する電源部に結線されてなる請求項１〜３のいずれかに記載の男性用パンツ。
【発明の詳細な説明】
【０００１】
【発明の属する技術分野】
本発明は、着装時に局部、就中ペニスを刺激する男性用パンツに関する。
【０００２】
【従来の技術】
局部の血行促進、精力増進等を目的とした男性用パンツには、微弱電流を発生させる形式のもの（例えば特開２０００−１９２３０１号公報参照）、遠赤外線を放射する素材を組み込んだもの（例えば特開２００１−４０５０３号公報参照）等がある。
【０００３】
【発明が解決しようとする課題】
従来技術のうち前者は、電流を利用して血流を良くし、人体を構成する細胞の活性化を図るために、パンツの適宜位置に銅素材（プラス電極）とアルミニウム素材（マイナス電極）を所定の間隔で配置するというものであるが、このように銅、アルミといった金属素材をパンツに取り付けると肌に接した時に硬固感を生ずるのは否めず、また微弱電流といっても人体を導体とするものであるから、虚弱体質の者や疾患を有する者には不具合となる恐れもある。
【０００４】
また従来技術のうち後者は、繊維中にセラミックスやトルマリン等の遠赤外線放射能力を有する材料を織り込ませたものを使用するが、遠赤外線を利用した下着類はこの技術に限らず多数存在し（例えば登録実用新案第３０３８８１７号公報参照）、それなりの保温、血流促進が所期されるものの、肌を刺激するまでには至らないため特に局部を活性化させる手段としての即効性はなく、また局部の形態に見合った程よい着装感にも欠ける憾みがあった。
【０００５】
本発明はこのような従来の事情に鑑み、ペニス活性化を主目的とした男性用パンツを提供するもので、局部の着装感がよく、ペニスを程よく刺激して血流を促進させ、精力増強による心身両面を活発化させることを意図した技術であって、局部を確固として保持し、遠赤外線による保温、細胞活性化を促進し、ペニスに振動を与えて遠赤外線との相乗作用を及ぼすことで上記目的を達成しようとするものである。
【０００６】
【課題を解決するための手段】
すなわち本発明は、パンツ本体１の股間部２正面側の内側に、磁鉄鉱入り遠赤外線放射物質含有のスポンジ布７を内設した通気性の布材４を縫着封止し、布材４によって形成された内部空間８に、本体１外側でスイッチ操作する電源１１に接続したコード１２及びその先端の振動体１０を布材４に形成した開口部Ｈより装入し且つ振動体１０を、スポンジ布７側中央に設けた取付部９で支承することを技術手段としている。
【０００７】
また本発明は、上記のパンツ本体１の股間部２正面側に、大腿付け根当接個所３に沿い略Ｖ字形に屈曲した合成樹脂製の支持枠６を縫着し、磁鉄鉱入り遠赤外線放射物質含有のスポンジ布７を内設した通気性の布材４を支持枠６上部に配置して縫着封止する構成とすることにより、男性局部の特に睾丸を支持枠６で支えることができ、睾丸が妄りに温められ若しくは加熱されるのを未然に防止することができる。
【０００８】
振動体１０を支承する取付部９を上下の複数個所に設けると、好みの位置で振動させることができて都合が良い。
【０００９】
更に本発明は、温度調節可能な線面発熱体１３を布材４とスポンジ布７の間に介装し、線面発熱体１３に接続した電気コード１４が布材４の開口部Ｈを通って本体１外側でスイッチ操作する電源部１５に結線される構成をとると、スポンジ布７を温めることが可能となるので遠赤外線の放射効果を一層助長できる。
【００１０】
【発明の実施の形態】
図面に基づき本発明を説明すると、図１（ａ）〜（ｃ）に示すように、ブリーフ形パンツ本体１は股間部２の左右に大腿付け根当接個所３を大きく開口してあり、股間部２の正面すなわち臀部と反対側の内側に、通気性の布材４を股間部２と伸縮性履き口５の間に配置し縫着封止する。なお股間部２の正面側に、大腿付け根当接個所に沿って略Ｖ字形に屈曲した合成樹脂製の支持枠６を縫着することが望ましい。
【００１１】
布材５は、図２（ａ）に示すように、スポンジ布７を内面に設けて縫着してあり、布材４によって内部空間８が形成される。スポンジ布７は、伸縮性薄布（図示せず）が磁鉄鉱入り遠赤外線放射物質含有のスポンジ材と一体となっており、遠赤外線を局部側に放射するようにスポンジ材が布材４に接し伸縮性薄布が反対側に位置する。すなわちスポンジ布７から放射される遠赤外線が布材４を通って局部（ペニス）に浸透する。而して上記内部空間８にはスポンジ布７側中央に別布形成した取付部９があり、この取付部９に振動体１０が支承される。
【００１２】
振動体１０は、図２（ｂ）に示すように、電源１１に接続したコード１２の先端に取り付けられ、コード１２とともに布材４の上部に空けた開口部Ｈから装入され、電源１１はパンツ外側の適宜位置であるズボンのベルトなどに係止させて手元操作する。この電源１１にはダイヤル式の強弱調整操作部１１ａがあり、１分間に６０００〜９０００回転の間の調整が可能で、振動体１０は内蔵したモーターの回転力に応じて駆動する仕組みとなっている。
【００１３】
振動体１０を支承する取付部９は、スポンジ布７の薄布側に縫着させた別布により、例えば振動体１０が差し込み可能なようにポケット状に形成する。そして好みの位置に振動体１０を位置決めできるように、取付部９を上下に複数個所設けることが望ましい。振動体１０は厚みが４ミリ程度の薄形であるため布材５の内部空間８に装入しても着装時に何ら違和感を生ずることはない。
【００１４】
図３は布材４とスポンジ布７の間に線面発熱体１３を介装した実施形態を示している。この線面発熱体１３は、外部の電源部１５から出た電気コード１４の先端に取り付けられており、電気コード１４とともに布材４の開口部Ｈを通って本体１内に装入される。線面発熱体１３は、合成樹脂にカーボンを練り込んで導電糸を形成し、異常加熱が発生すると導電糸が溶融切断して電気の流れを自動的に停止する仕組みのもので、電源部１５での温度調節が可能な構造としてある。上記線面発熱体１３は、冬季寒冷時にのみ使用するようにしてもよい。
【００１５】
前記構成のパンツ本体１を履くと、太腿付け根当接個所３が大腿に密着し、股間部２の正面側に位置する布材４がペニスに密着する。本体１の股間部２は局部睾丸を支えるが、Ｖ字形に屈曲した支持枠６を大腿付け根当接個所３に沿って縫着した場合は、該当接個所３が本体１のたるみを未然に防止することは勿論、股間部２部分を緊張設するので睾丸位置が固定され、左右に揺動したり横側から妄りにはみ出すような煩わしさが解消される。
【００１６】
布材４は通気性のため、スポンジ布７の遠赤外線放射と磁気帯より発生する磁気がペニスに向けて放射される。遠赤外線物質は熱を生み出して細胞を活性化しまた磁気発生は生体の呼吸活動を活発化する作用があるため両々相まって細胞の分子活動を助長するのに役立つ。そして内部空間８にある振動体１０を振動させると、スポンジ布７と布材４に伝わった振動波がペニスに達して心地よい刺激をもたらすとともに、遠赤外線放射に振動が加わるためその相乗作用が遠赤外線の深達力を高め、ペニスの血流促進、細胞活性が増進する。振動体１０の取付部９を上下の複数個所に設けると、自己の好みの位置で振動を発生させることが可能であり、その時の体調・気分等に応じて位置決めすることができる。また振動体１０は強弱調整ができ、絶えず体の状態に相応しい心地よさで使用できる。
【００１７】
線面発熱体１３を介装した場合、電源部１５をスイッチオンすると線面発熱体１３が温度上昇してスポンジ布７が加熱される。適温に温められたスポンジ布７の磁気と遠赤外線照射光熱の有効な働きが増進して遠赤波長を強化・活性伸長して生体の水分子の共鳴振動を起こし、人体の血液に温熱効果を相乗的に及ぼすことができる。遠赤外線は人間の放つ波長（人間の身体から放射される全エネルギーのうち４５％は８〜１４ミクロンという波長を持つ遠赤外線）に近く、人間という発熱体と共振作用を起こし、細胞を構成する原子の働きは活発となる。すなわち共振作用によって運動エネルギーが生まれ、この運動エネルギーが細胞を活性化する核となる。なお線面発熱体１３の温度は５２°Ｃ程度にすることが好ましく、温度が不測に上昇したときは導電糸が溶融切断し異常個所の電気の流れは止まるためショートしたり高温による焼けど等の不都合は防止できる。
【００１８】
【発明の効果】
パンツ本体の股間部正面側に設けた布材内面のスポンジ布から発する遠赤外線と磁気作用によってペニスの血流促進、細胞活性が助長され、更に振動体を可動させることによりペニスへの刺激がマッサージ効果となって程よい快感が得られ、心身両面の活性化充実感が所期される。
【００１９】
大腿付け根当接個所に沿って略Ｖ字形となる支持枠を取り付けたことにより、睾丸が支持枠内に納まって妄動せず、心地よい緊張感が得られるとともに布材に接するペニスの位置決めも確固としたものとなり、睾丸が遠赤外線等によりいたずらに温められるといった事態も回避できる。
【００２０】
ペニスの大きさには個人差があり、またペニスは下向きだけでなくパンツ着装時に上向きにすることもあり、それゆえ取付部を１か所だけでなく複数個所に設けると、自己に見合った位置に振動体を位置決めできるので都合がよく、また使用する度に振動体を好みの位置に移動することもできて変化を楽しめるとともに強弱調整できる振動体を使用することで体調等に応じて振動の加減ができる。
【００２１】
線面発熱体を布材とスポンジ布の間に介装した場合、加熱されたスポンジ布の遠赤外線深達力と熱伝導が容量大となって遠赤外線の直接照射の効率が頗る良好となり、ペニスの血流促進、細胞活性がより迅速となる。
【図面の簡単な説明】
【図１】本発明のパンツ本体を示し、（ａ）は正面図、（ｂ）は平面図、（ｃ）は同上のＡ−Ａ線断面図である。
【図２】（ａ）は本発明の使用状態断面図、（ｂ）は振動体の斜視図である。
【図３】線面発熱体を設けた例を示す一部断面図である。
【符号の説明】
１  パンツ本体    ２  股間部        ３  大腿付け根当接個所
４  布材          ５  履き口        ６  支持枠
７  スポンジ布    ８  内部空間      ９  取付部    Ｈ  開口部
１０  振動体      １１  電源        １１ａ  強弱調整操作部
１２  コード      １３  線面発熱体  １４  電気コード  １５  電源部
【図１】
2004316046.tif 000003
【図２】
2004316046.tif 000004
【図３】
2004316046.tif 000005